(57)【要約】      （修正有）【課題】自由自在に寝返りの出来ない老人や病人を床ずれから守るベッドを提供する。【解決手段】ベッド本体の縦の両側面にスリーブ４、５を設置し、該スリーブの一方に数本の芯材を包み込んだ帯２，３を横方向に架け回し、それぞれの帯の先端を他方の先端と揃え併せ、相対するスリーブに架け渡し、そのスリーブの下部に設置した横渡帯巻き取り用ローラー６に一部を右巻きに残りの一部を左巻きに巻き付け固定する。このとき、該帯を被介護者の身体の状況に合わせ数や巾を決定しその長さを調節する機能を付加し、数本ずつ分け、分けた一部を右回りの方向に、残りの一部を左回りの方向に取り付けるこうすることにより、帯巻き取り用ローラー６が右回転した時は右回りの方向に取り付けた帯２が緊張し、左回りの方向に取り付けた帯３は弛緩する。【選択図】図２
2010227518.tif 000002
【特許請求の範囲】
【発明の詳細な説明】
【技術分野】
【０００１】本発明は、床ずれ防止ベッドに関する。
【背景技術】
【０００２】床ずれは圧迫の強さ×圧迫の時間で発生すると云われており、自由自在に寝返りの出来ない老人や病人を床ずれから守るため、ベッドの床面をいくつかの部分に分け、それぞれを互い違いに昇降させる方式で、横臥する被介護者の体圧支持点を定期的に換えることのできる特願２００５−２３６９５７が開発された。
【発明が解決しようとする課題】
【０００３】前記の特願２００５−２３６９５７は、帯が破断し、被介護者が落下した場合の危険回避対策が不十分である。
【０００４】前記の特願２００５−２３６９５７は、横臥する被介護者の身体の曲線に帯が的確に添い難い。
【０００５】前記の特願２００５−２３６９５７は、横臥する被介護者の身体が、帯が緊張と弛緩を繰り返すたびに、徐々にずれ動き、巻き取り用ローラー側に押しやられる傾向がある。
【０００６】前記の特願２００５−２３６９５７は、横臥する被介護者の身体の上半身のみを持ち上げ起こす機能が無い。
【課題を解決するための手段】
【０００７】前記課題［０００３］を解決するため本発明は、被介護者の身体を支持する帯の動作床の下部に更に不動固定床を設置する。
【０００８】前記課題［０００４］を解決するため本発明は、長さ調節機能付き帯をベッドの左右両側に設置したスリーブに掛け渡す。
【０００９】前記課題［０００５］を解決するため本発明は、数本の帯の一方の端をベッドの枠に固定するのではなく、該位置にスリーブを設置し該帯を架け回し、該帯の先端を各々他方の先端と揃え併せ、相対する側のスリーブに架け渡し、該スリーブの下部に設置した帯巻き取り用ローラーに一部を右巻きに、かつ他の一部を左巻きに巻き付け固定する。
【００１０】前記課題［０００６］を解決するため本発明は、ベッド本体の枕元の枠の上部にローラーを設置し、数本の上半身持ち上げ用の縦渡帯の一方の端を巻き付け固定する。又もう一方の端は不動固定床の中央付近にローラーを設置し、該帯の一部は右巻きに、残りの一部は左巻きに巻き付け固定する。この際の該帯の長さは横臥する人体の腰の位置とベッドの枕元の先端部迄の長さに、ベッドの床面から枕元先端上部の該ローラーまでの長さを加えた長さ以上にする。
【発明の効果】
【００１１】本発明は、一瞬にして静寂のうちにこれら二種の帯を緊張と弛緩の相反する状態にすることができ、床ずれ防止ベッドとしては二種の帯の切り替え前と切り替え後の張力の差異もなく違和感も感じず、被介護者は安眠を妨げられることなく、定期的に圧迫から解放され、新鮮な空気に触れ、床ずれを防止することができる特願２００５−２３６９５７の特徴を損なうことなく、横臥する人体の落下による危険を回避し、ズレ移動を無くし、横臥する被介護者の身体の曲線に的確に添い、その上半身を持ち上げることを容易にする。
【発明を実施するための最良の形態・実施例】
【００１２】図２は床ずれ防止ベッドの側面図である。ベッド本体の縦の両側面にスリーブ４、５を設置し、該スリーブの一方に数本の芯材を包み込んだ帯２，３を横方向に架け回し、それぞれの帯の先端を他方の先端と揃え併せ、相対するスリーブに架け渡し、そのスリーブの下部に設置した横渡帯巻き取り用ローラー６に一部を右巻きに残りの一部を左巻きに巻き付け固定する。このとき、該帯を被介護者の身体の状況に合わせ数や巾を決定しその長さを調整する機能を付加し、数本ずつ分け、分けた一部を右回りの方向に、残りの一部を左回りの方向に取り付ける。（本図はその一例として帯を１本ずつ交互に取り付けた例であるが、帯２，３の巾、数、位置、向き、芯材の材質や形状及びスリーブ４、５、ローラー６の設置場所や向きは特にこれに拘らない。）こうすることにより、帯巻き取り用ローラー６が右回転した時は右回りの方向に取り付けた帯２が緊張し、左回りの方向に取り付けた帯３は弛緩する。又、帯巻き取り用ローラー６が左回転した時は左回りの方向に取り付けた帯３が緊張し、右回りの方向に取り付けた帯２は弛緩する。該帯巻き取り用ローラー６はローラー本体に取り付けたハンドル７で手動にて操作する。
又、本体１の枕元の枠１の上部に被介護者の上半身持ち上げ用の縦渡帯８，９を巻き取るローラー１０を設置し、不動固定床１１の中央付近にこれに相対する縦渡帯巻き取り用ローラー１２を設置し、この双方のローラーに数本の該帯を８，９を巻き付け固定する。このとき、枕元の上部のローラー１０は全て同方向に巻き付け固定し、不動固定床１１中央付近のローラー１２には該帯８，９を数本ずつ分け、分けた一部を右回りの方向に、残りの一部を左回りの方向に取り付ける。（本図はその一例として帯を１本ずつ交互に取り付けた例であるが、帯８，９の巾、数、位置、向き、芯材の材質や形状及びスリーブ４、５、ローラー１０，１２の設置場所や向きは特にこれに拘らない。）こうすることにより、帯巻き取り用ローラー１２が右回転した時は右回りの方向に取り付けた帯８が緊張し、左回りの方向に取り付けた帯９は弛緩する。又、該ローラー１２が左回転した時は左回りの方向に取り付けた帯９が緊張し、右回りの方向に取り付けた帯８は弛緩する。尚図６にあるように、帯８，９の長さは弛緩状態の時には帯２，３に上に添って水平を維持できる長さにする。該帯８，９の操作はそれぞれのローラーに取り付けたハンドル１３，１４で手動にて操作する。
【００１３】このハンドル操作に換えて、モーターその他の駆動装置やタイマーを連結することで、自動で定期的に右回転、左回転と繰り返すことにより、該帯を緊張と弛緩の正反対の状況を自動的定期的に繰り返し作り出すこともできる。又、底床にシートヒーターを敷設すれば、冬の寒さ対策を容易にする。
【００１４】図６は全身を横たえる場合のベッドの状態。、図７は半身を起こす場合のベッドの状態の斜視図であるがその操作はローラー回転用ハンドル１３で手動にて行う。
【図面の簡単な説明】
【図１】床ずれ防止ベッドの正面図である
【図２】床ずれ防止ベッドの側面図である
【図３】床ずれ防止ベッドの上面図である
【図４】床ずれ防止ベッドの帯巻き取り用ローラー６の右回転動作図である
【図５】床ずれ防止ベッドの帯巻き取り用ローラー６の左回転動作図である
【図６】床ずれ防止ベッドの背中持ち上げ帯の弛緩状態斜視図である
【図７】床ずれ防止ベッドの背中持ち上げ帯の緊張状態斜視図である
【符号の説明】１  ベッド本体の枕元の枠
２  右回りに取り付けた帯
３  左回りに取り付けた帯
４  ベッド側面のスリーブ
５  ベッド側面のスリーブ
６  帯巻き取り用ローラー
７  ローラー６操作用ハンドル
８  右回りに取り付けた上半身持ち上げ用帯
９  左回りに取り付けた上半身持ち上げ用帯
１０  上半身持ち上げ用帯巻き取り用ローラー
１１  不動固定床
１２  上半身持ち上げ用帯巻き取り用ローラー
１３  ローラー１２操作用ハンドル
１４  上半身持ち上げ用帯操作用ハンドル
【図１】
2010227518.tif 000003
【図２】
2010227518.tif 000004
【図３】
2010227518.tif 000005
【図４】
2010227518.tif 000006
【図５】
2010227518.tif 000007
【図６】
2010227518.tif 000008
【図７】
2010227518.tif 000009
【手続補正書】
【提出日】平成21年5月18日(2009.5.18)
【手続補正１】
【補正対象書類名】特許請求の範囲
【補正対象項目名】全文
【補正方法】追加
【補正の内容】
【特許請求の範囲】
【請求項１】
ベッド本体の左右両側にそれぞれスリーブを設置し、一方のスリーブに数本の帯を架け回し、該帯の先端を各々他方の先端と揃え併せ、相対するスリーブに架け渡し、該スリーブの下部に設置した帯巻き取り用ローラーに一部を右巻きに、かつ他の一部を左巻きに巻き付け固定することで、反対の方向に巻き付けた二種の帯を一動作で同時に緊張と弛緩の相反する状態にする云う特願２００５−２３６９５７の機能を損なうことなく、又特願２００５−２３６９５７のように、帯巻き取り用ローラーの側からのみ該帯が緊張と弛緩の状態になる動作が始まるのではなく、ベッド本体の左右両側から同時に該動作が始まり、横臥する被介護者が一方向へズレ動くことを防止することを特徴とするベッドである。
【請求項２】
ベッド本体の枕元の枠の上部にローラーを設置し、数本の上半身持ち上げ用の縦渡帯の一方の端を巻き付け固定し、もう一方の端は不動固定床の中央付近に設置したローラーに巻き付け固定する。上半身持ち上げ用縦渡帯の長さは横臥する被介護者の腰の位置と、ベッドの先端部までの長さに、ベッドの床面から枕元上部の該ローラーまでの長さを加えた長さ以上にし、ベッド本体の枕元の枠の上部のローラーを回転するすることで、徐々に上半身を持ち上げることができることを特徴とするベッドである。